(57)【要約】【課題】後加工やマスキング処理を施さずに透光性枠体をメッキ処理するだけで、目盛部前面の透過照明を可能とする製造コストの安価な装飾リング及び装飾リングの製造方法を提供する。【解決手段】装飾リング１１は、透光性を有すると共にメッキ不可能なポリカーボネート樹脂により大目盛４３と小目盛４５を構成する透光性枠体４７と、枠体裏面５３と目盛部前面５５を除く透光性枠体４７の枠体表面５７及び目盛部側面５９を覆うようにメッキ可能なＡＢＳ樹脂により透光性枠体４７と２色成形によって一体成形された金属調形成部４９と、金属調形成部４９の表面にメッキされたメッキ層５１と、を備える。【選択図】図５
2015064287.tif 000002
【特許請求の範囲】
【請求項１】
車両用計器のメータ文字板の周囲に配設される装飾リングであって、
透光性を有すると共にメッキ不可能な樹脂材料により目盛部を構成する透光性枠体と、
枠体裏面と目盛部前面を除く前記透光性枠体の枠体表面及び目盛部側面を覆うようにメッキ可能な樹脂材料により前記透光性枠体と２色成形によって一体成形された金属調形成部と、
前記金属調形成部の表面にメッキされたメッキ層と、
を備えることを特徴とする装飾リング。
【請求項２】
請求項１に記載の装飾リングであって、
メータケース側係止部に係止される枠体側係止部が、前記透光性枠体と同じ樹脂材料により前記透光性枠体の枠体裏面に一体成形されていることを特徴とする装飾リング。
【請求項３】
車両用計器のメータ文字板の周囲に配設される装飾リングの製造方法であって、
透光性を有すると共にメッキ不可能な樹脂材料により目盛部を構成する透光性枠体を１次成形し、メッキ可能な樹脂材料により枠体裏面と目盛部前面を除く前記透光性枠体の枠体表面及び目盛部側面を覆うように金属調形成部を前記透光性枠体に２次成形することによって、前記透光性枠体と前記金属調形成部とを２色成形する工程と、
前記金属調形成部が２色成形によって一体成形された前記透光性枠体にメッキ処理を施す工程と、
を含むことを特徴とする装飾リングの製造方法。
【発明の詳細な説明】
【技術分野】
【０００１】
本発明は、装飾リング及び装飾リングの製造方法に関する。
【背景技術】
【０００２】
従来、スピードメータやタコメータなどの車両用計器の装飾性向上のため、装飾リングをメータ文字板周りに配置して目盛を構成し、その目盛をメータ文字板等の光源より発光させる技術が知られている（特許文献１、２等参照）。
図６に示す従来の指針式計器は、回路基板５０１と、この回路基板５０１に導通装着され回転軸５０３が前方に延びる駆動装置５０５と、回転軸５０３にて回転駆動される指針５０７と、この指針５０７の背後に位置して回路基板５０１に配置される表示板（メータ文字板）５０９と、この表示板５０９の前方側に配置される透光部材５１１と、指針５０７や表示板５０９、透光部材５１１の所要部を露出させるための見返し板５１３と、指針５０７を照明する指針用の光源５１５と、表示板５０９を照明する表示板用の光源５１７と、表示板５０９と回路基板５０１との間に配置される枠体５１９とから構成される。
【０００３】
図７に示す従来の目盛リング５２１は、透光性材質、たとえば無色透明のアクリル樹脂等から成型加工された基板により構成される。基板の前面側（視認者側）には、大目盛５２３及び小目盛５２５が突起状に形成される。基板には、基板側から順番に、プライマ層５２７、アルミ蒸着膜５２９、トップコート層５３１が積層される。プライマ層５２７として遮光性或いは低光透過率を有する材質を用いている。このような構成によれば、目盛リング５２１の背後から照射された発光ダイオードからの光は、プライマ層５２７で遮断される、或いはプライマ層５２７を透過する光量が大幅に低減される。このため、表示意匠以外の金属層から光が漏れず、良好な見映えが得られる。
【先行技術文献】
【特許文献】
【０００４】
【特許文献１】特開２００４−６１３２６号公報
【特許文献２】特開２００７−２３２４０３号公報
【発明の概要】
【発明が解決しようとする課題】
【０００５】
しかしながら、上記図６に示した指針式計器は、表示板５０９の周囲に配設されて目盛を構成する透光部材５１１と、装飾リングを構成している見返し板５１３とが別体となるため、組立性に難がある。
また、図７に示した目盛リング５２１は、透光性材質からなるリング部本体５３３にアルミ蒸着膜５２９を蒸着して装飾リングを構成しているため、大目盛５２３および小目盛５２５の前面を透明にして透過照明を可能とするためには、大目盛５２３および小目盛５２５の前面を切削や研磨によって後加工したり、マスキング処理したりする必要があり、製造コスト増を招く。また、文字盤等への固定のために目盛リング５２１に係止爪が形成される場合には、この係止爪にもアルミ蒸着膜５２９が形成されてしまうため、係止孔挿入時に係止爪から剥がれた蒸着膜片が異物となり、メータケース内の意匠部分に付着して品質を低下させる可能性がある。
【０００６】
本発明は上記状況に鑑みてなされたもので、その目的は、後加工やマスキング処理を施さずに透光性枠体をメッキ処理するだけで、目盛部前面の透過照明を可能とする製造コストの安価な装飾リング及び装飾リングの製造方法を提供することにある。
【課題を解決するための手段】
【０００７】
本発明に係る上記目的は、下記構成により達成される。
（１）  車両用計器のメータ文字板の周囲に配設される装飾リングであって、透光性を有すると共にメッキ不可能な樹脂材料により目盛部を構成する透光性枠体と、枠体裏面と目盛部前面を除く前記透光性枠体の枠体表面及び目盛部側面を覆うようにメッキ可能な樹脂材料により前記透光性枠体と２色成形によって一体成形された金属調形成部と、前記金属調形成部の表面にメッキされたメッキ層と、を備えることを特徴とする装飾リング。
【０００８】
上記（１）の構成の装飾リングによれば、メッキ不可能な樹脂材料により形成された透光性枠体の枠体裏面と目盛部前面を除いた枠体表面（枠体前面と枠体側面）及び目盛部側面は、メッキ可能な樹脂材料により２色成形によって一体成形された金属調形成部により覆われる。そして、枠体表面及び目盛部側面が金属調形成部で覆われた透光性枠体がメッキ処理されると、金属調形成部の表面にのみメッキ層が形成される。そこで、マスキング処理や後加工を施さなくても、枠体裏面及び目盛部前面に対してメッキ層が形成されることはない。従って、透光性枠体の枠体裏面及び目盛部前面を透明にして透過照明を可能とするために、マスキング処理や後加工をこれら枠体裏面及び目盛部前面に施す必要がなく、装飾リングの製造コストを低減することができる。
【０００９】
（２）  上記（１）の構成の装飾リングであって、メータケース側係止部に係止される枠体側係止部が、前記透光性枠体と同じ樹脂材料により前記透光性枠体の枠体裏面に一体成形されていることを特徴とする装飾リング。
【００１０】
上記（２）の構成の装飾リングによれば、メッキ可能な樹脂材料により２色成形によって一体成形された金属調形成部により覆われていない枠体裏面に設けられた枠体側係止部には、メッキ層が形成されることはない。従って、枠体側係止部がメータケース側係止部に係止される際にメッキ層の一部が剥離する心配がない。その結果、剥離したメッキ層が異物としてメータケース内に入り、品質低下を招いたり、電気回路（回路基板）に影響を与えたりすることがない。
【００１１】
（３）  車両用計器のメータ文字板の周囲に配設される装飾リングの製造方法であって、透光性を有すると共にメッキ不可能な樹脂材料により目盛部を構成する透光性枠体を１次成形し、メッキ可能な樹脂材料により枠体裏面と目盛部前面を除く前記透光性枠体の枠体表面及び目盛部側面を覆うように金属調形成部を前記透光性枠体に２次成形することによって、前記透光性枠体と前記金属調形成部とを２色成形する工程と、前記金属調形成部が２色成形によって一体成形された前記透光性枠体にメッキ処理を施す工程と、を含むことを特徴とする装飾リングの製造方法。
【００１２】
上記（３）の構成の装飾リングの製造方法によれば、先ず、目盛部を構成する透光性枠体が、メッキ不可能な樹脂材料（ポリカーボネート樹脂等）により１次成形される。そして、この透光性枠体には、枠体裏面と目盛部前面を除く枠体表面及び目盛部側面を覆うようにメッキ可能な樹脂材料（ＡＢＳ樹脂等）が２次成形され、透光性枠体と金属調形成部とが２色成形によって一体成形される。即ち、透光性枠体は、枠体裏面と目盛部前面以外の部分が、メッキ可能な樹脂材料により２色成形によって一体成形された金属調形成部により覆われる。枠体表面及び目盛部側面が金属調形成部で覆われた透光性枠体にメッキ処理が施されると、金属調形成部の表面にのみメッキ層が形成される。そこで、マスキング処理や後加工を施さなくても、枠体裏面及び目盛部前面に対してメッキ層が形成されることはない。従って、透光性枠体の枠体裏面及び目盛部前面を透明にして透過照明を可能とするために、マスキング処理や後加工をこれら枠体裏面及び目盛部前面に施す必要がなく、装飾リングの製造コストを低減することができる。
【発明の効果】
【００１３】
本発明に係る装飾リング及び装飾リングの製造方法によれば、後加工やマスキング処理を施さずに透光性枠体をメッキ処理するだけで、目盛部前面の透過照明を可能とする製造コストの安価な装飾リング及び装飾リングの製造方法を提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係る装飾リングを備えた車両用計器の正面図である。
【図２】図１に示した装飾リングの要部拡大斜視図である。
【図３】図２に示した装飾リングの製造方法を説明するための目盛部近傍の拡大斜視図であり、（ａ）は１次成形された透光性枠体を示し、（ｂ）は透光性枠体に金属調形成部が２次成形された状態を示し、（ｃ）は金属調形成部の表面にメッキ層がメッキされた状態を示す。
【図４】図３（ｃ）に示した装飾リングを枠体裏面側から見た下面図である。
【図５】（ａ）は図３（ｃ）のＡ−Ａ断面図、（ｂ）は図３（ｃ）のＢ−Ｂ断面図である。
【図６】従来の指針式計器の回転軸を含む面における断面図である。
【図７】従来の目盛リングの大目盛及び小目盛を含む面における断面図である。
【発明を実施するための形態】
【００１６】
以下、本発明に係る実施形態を図面を参照して説明する。
本発明の一実施形態に係る装飾リング１１は、例えば図１に示す車両用計器である車両用コンビネーションメータ１３に用いられ、速度計１５の円形の文字板（メータ文字板）３５の周囲に配設されている。
【００１７】
車両用コンビネーションメータ１３は、メータケース（図示略）と、速度計１５と、燃料計１７と、回転計１９と、水温計２１と、シフト表示部２３と、ターン表示部２５と、マルチ表示部２７と、トリップノブ２９と、を備える。例えば、速度計１５や回転計１９は、配線板に内機が固定されている。内機には指針３１の回転軸が突出される。メータケースに取り付けられた見返し３３は、配線板や内機等を覆い、開口部から上記各種メータ類を表出させている。見返し３３の表側は、メータケースに取り付けられる透明カバー（図示略）によって更に覆われている。
【００１８】
本実施形態に係る装飾リング１１は、速度計１５の両側に隣接して設けられた回転計の側部装飾枠３８と水温燃料計の側部装飾枠３９とが、円環状の下部側で水平直線方向に延びる装飾底枠３７に沿って一体に接続されている。
【００１９】
図１及び図２に示すように、速度計１５における装飾リング１１は、環状枠部４１の内周側に、目盛部である複数の大目盛４３と小目盛４５とが、円周方向に沿って交互に設けられている。これら大目盛４３と小目盛４５は、指針３１の回転軸を中心とする放射方向に沿って延設され、基端側が環状枠部４１に接続され、先端側が先細となって指針３１の回転軸の中心に向かっている。
【００２０】
図３〜図５に示すように、本実施形態の装飾リング１１は、大目盛４３、小目盛４５と環状枠部４１が一体成形された透光性枠体４７と、透光性枠体４７の枠体表面５７及び目盛部側面５９を覆う金属調形成部４９と、金属調形成部４９の表面にメッキされたメッキ層５１と、を備える。
透光性枠体４７は、図３（ａ）に示すように、例えばポリカーボネート樹脂等の透光性を有すると共にメッキ不可能な樹脂材料により大目盛４３及び小目盛４５が環状枠部４１に一体成形されている。なお、透光性枠体４７の枠体表面５７は、透光性枠体４７における枠体裏面５３を除いた部分である枠体前面５７ａと枠体側面５７ｂとを含むものとする。
【００２１】
金属調形成部４９は、図３（ｂ）に示すように、枠体裏面５３と目盛部前面５５を除いた透光性枠体４７の枠体表面５７（枠体前面５７ａと枠体側面５７ｂ）及び目盛部側面５９を覆うように、例えばＡＢＳ樹脂等のメッキ可能な樹脂材料により透光性枠体４７と２色成形によって一体成形されている。
そして、メッキ層５１は、図３（ｃ）に示すように、この金属調形成部４９の表面にメッキされる。
【００２２】
また、透光性枠体４７には、メータケースに設けられたメータケース側係止部（図示略）に係止される枠体側係止部６５が、透光性枠体４７と同じメッキ不可能なポリカーボネート樹脂により枠体裏面５３から延出するように一体成形されている（図４参照）。本実施形態に係る枠体側係止部６５は、図２に示すように、可撓片部６１の先端側に爪部６３が形成された係止爪である。枠体側係止部６５は、透光性枠体４７の円周方向に沿って複数設けられている。
【００２３】
本実施形態の金属調形成部４９には、白色のＡＢＳ樹脂が用いられている。そして、透明な透光性枠体４７と対向して密着している白色の金属調形成部４９の樹脂境界６７には、メッキ層５１が付着することがない（図５参照）。そこで、透光性枠体４７から金属調形成部４９の樹脂境界６７に伝搬した光は、白色の金属調形成部４９による反射・拡散により効率的に大目盛４３と小目盛４５に向かって、目盛部前面５５から出射される。その結果、大目盛４３と小目盛４５の発色性も自然に近い感じにすることができる。
【００２４】
なお、上記の特徴を利用して目盛色を種々の色に変えることができる。即ち、目盛色を赤色に変えるときは赤色のＡＢＳ樹脂を用い、青色に変えるときは青色のＡＢＳ樹脂を用いる。これにより、透光性枠体４７における大目盛４３及び小目盛４５の目盛部前面５５から出射される光を着色し、発色性を向上させることが可能となる。また、蛍光ピンク色等の蛍光顔料を混入したメッキ可能な樹脂材料により金属調形成部４９を成形することもできる。
【００２５】
次に、上述した装飾リング１１の製造方法を説明する。
本実施形態に係る装飾リング１１の製造方法は、透光性枠体４７と金属調形成部４９を２色成形によって一体成形する工程と、メッキ処理を施す工程と、を有する。
【００２６】
先ず、透光性枠体４７と金属調形成部４９を２色成形により一体成形する工程では、ポリカーボネート樹脂等の透光性を有すると共にメッキ不可能な樹脂材料により大目盛４３及び小目盛４５と環状枠部４１を有する透光性枠体４７が１次成形される。
【００２７】
次に、ＡＢＳ樹脂等のメッキ可能な樹脂材料により枠体裏面５３と目盛部前面５５を除く透光性枠体４７の枠体表面５７及び目盛部側面５９を覆うように金属調形成部４９が２次成形される。
【００２８】
そして、メッキ処理を施す工程では、金属調形成部４９が一体成形された透光性枠体４７にメッキ処理が施される。
【００２９】
次に、上記構成を有する装飾リング１１の作用を説明する。
本実施形態に係る装飾リング１１では、メッキ不可能なポリカーボネート樹脂により形成された透光性枠体４７の枠体裏面５３と目盛部前面５５を除いた枠体表面５７（枠体前面５７ａと枠体側面５７ｂ）及び目盛部側面５９は、メッキ可能なＡＢＳ樹脂により２色成形によって一体成形された金属調形成部４９により覆われる。
【００３０】
そして、枠体表面５７及び目盛部側面５９が金属調形成部４９で覆われた透光性枠体４７がメッキ処理されると、金属調形成部４９の表面にのみメッキ層５１が形成される。
【００３１】
そこで、マスキング処理や後加工を施さなくても、枠体裏面５３及び目盛部前面５５に対してメッキ層５１が形成されることはない。従って、透光性枠体４７の枠体裏面５３及び目盛部前面５５を透明にして透過照明を可能とするために、マスキング処理や後加工をこれら枠体裏面５３及び目盛部前面５５に施す必要がなく、装飾リング１１の製造コストを低減することができる。
【００３２】
また、本実施形態に装飾リング１１では、メータケース側係止部に係止される枠体側係止部６５が、透光性枠体４７と同じメッキ不可能なポリカーボネート樹脂により透光性枠体４７の枠体裏面５３に一体成形されている。そこで、メッキ可能なＡＢＳ樹脂により２色成形によって一体成形された金属調形成部４９により覆われていない枠体裏面５３に設けられた枠体側係止部６５には、メッキ層５１が形成されることはない。従って、枠体側係止部６５がメータケース側係止部に係止される際にメッキ層５１の一部が剥離する心配がない。その結果、剥離したメッキ層５１が異物としてメータケース内に入り、品質低下を招いたり、電気回路（回路基板）に影響を与えたりすることがない。
【００３３】
次に、上記装飾リング１１の製造方法の作用を説明する。
本実施形態に係る装飾リング１１の製造方法では、先ず、大目盛４３及び小目盛４５を構成する透光性枠体４７が、メッキ不可能なポリカーボネート樹脂により１次成形される（図３（ａ）参照）。そして、この透光性枠体４７には、枠体裏面５３と目盛部前面５５を除く枠体表面５７（枠体前面５７ａと枠体側面５７ｂ）及び目盛部側面５９を覆うように、メッキ可能なＡＢＳ樹脂が２次成形され、透光性枠体４７と金属調形成部４９とが２色成形によって一体成形される。
【００３４】
即ち、透光性枠体４７は、枠体裏面５３と目盛部前面５５以外の部分が、メッキ可能なＡＢＳ樹脂により２色成形によって一体成形された金属調形成部４９により覆われる（図３（ｂ）参照）。枠体表面５７及び目盛部側面５９が金属調形成部４９で覆われた透光性枠体４７にメッキ処理が施されると、金属調形成部４９の表面にのみメッキ層５１が形成される（図３（ｃ）参照）。そこで、マスキング処理や後加工を施さなくても、枠体裏面５３及び目盛部前面５５に対してメッキ層５１が形成されることはない。従って、透光性枠体４７の枠体裏面５３及び目盛部前面５５を透明にして透過照明を可能とするために、マスキング処理や後加工をこれら枠体裏面５３及び目盛部前面５５に施す必要がなく、装飾リング１１の製造コストを低減することができる。
【００３５】
ここで、上述した本発明に係る装飾リング及び装飾リングの製造方法の実施形態の特徴をそれぞれ以下に簡潔に纏めて列記する。
［１］  車両用計器（車両用コンビネーションメータ）１３のメータ文字板（文字板）３５の周囲に配設される装飾リング１１であって、透光性を有すると共にメッキ不可能な樹脂材料（ポリカーボネート樹脂）により目盛部（大目盛と小目盛）４３，４５を構成する透光性枠体４７と、枠体裏面５３と目盛部前面５５を除く前記透光性枠体４７の枠体表面５７及び目盛部側面５９を覆うようにメッキ可能な樹脂材料（ＡＢＳ樹脂）により前記透光性枠体４７と２色成形によって一体成形された金属調形成部４９と、前記金属調形成部４９の表面にメッキされたメッキ層５１と、を備えることを特徴とする装飾リング１１。
［２］  上記［１］の構成の装飾リング１１であって、メータケース側係止部に係止される枠体側係止部６５が、前記透光性枠体４７と同じ樹脂材料（ポリカーボネート樹脂）により前記透光性枠体４７の枠体裏面５３に一体成形されていることを特徴とする装飾リング１１。
［３］  車両用計器（車両用コンビネーションメータ）１３のメータ文字板（文字板）３５の周囲に配設される装飾リング１１の製造方法であって、透光性を有すると共にメッキ不可能な樹脂材料（ポリカーボネート樹脂）により目盛部（大目盛と小目盛）４３，４５を構成する透光性枠体４７を１次成形し、メッキ可能な樹脂材料（ＡＢＳ樹脂）により枠体裏面５３と目盛部前面５５を除く前記透光性枠体４７の枠体表面５７及び目盛部側面５９を覆うように金属調形成部４９を前記透光性枠体４７に２次成形することによって、前記透光性枠体４７と前記金属調形成部４９とを２色成形する工程と、前記金属調形成部４９が２色成形によって一体成形された前記透光性枠体４７にメッキ処理を施す工程と、を含むことを特徴とする装飾リング１１の製造方法。
【００３６】
従って、本実施形態に係る装飾リング１１及び装飾リング１１の製造方法によれば、後加工やマスキング処理を施さずに透光性枠体４７をメッキ処理するだけで、目盛部前面５５の透過照明を可能とする製造コストの安価な装飾リング１１及び装飾リング１１の製造方法を提供できる。
なお、本発明は上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３７】
１１…装飾リング
１３…車両用コンビネーションメータ（車両用計器）
３５…文字板（メータ文字板）
４３…大目盛（目盛部）
４５…小目盛（目盛部）
４７…透光性枠体
４９…金属調形成部
５１…メッキ層
５３…枠体裏面
５５…目盛部前面
５７…枠体表面
５７ａ…枠体前面
５７ｂ…枠体側面
５９…目盛部側面
６５…枠体側係止部
【図１】
2015064287.tif 000003
【図２】
2015064287.tif 000004
【図３】
2015064287.tif 000005
【図４】
2015064287.tif 000006
【図５】
2015064287.tif 000007
【図６】
2015064287.tif 000008
【図７】
2015064287.tif 000009